(57)【要約】【課題】簡素で安価な構成でありながら、取手部をしっかりと光らせることのできる引き戸照明装置を提供する。【解決手段】引き戸照明装置１は、出入口Ｆを開閉する引き戸２と、引き戸２を案内するガイド部３と、部屋Ｒ側に設けられた電源部４と、引き戸２の取手部２３を光らせるためのＬＥＤモジュール５と、電源部４からＬＥＤモジュール５に電源を供給する電源供給機構６とを備えている。電源部４から電源供給機構６に供給される電源は８Ｖ以上１５Ｖ以下の直流電源である。電源供給機構６は、ガイド部に添設された通電部材３６，３６と、引き戸２に配備されてＬＥＤモジュール５と配線接続された接点金具３７，３８とから構成されている。【選択図】図１
0003223753.tif 000002
【実用新案登録請求の範囲】
【請求項１】
部屋の出入口を開閉する引き戸と、
前記出入口の縁部に引き戸移動方向に沿って配設されて前記引き戸を案内するガイド部と、
前記部屋側に設けられた電源部と、
前記引き戸の取手部を光らせるために前記引き戸に設けられたＬＥＤ素子と、
前記電源部から前記ＬＥＤ素子に電源を供給するための電源供給機構と、
を備えて成ることを特徴とする引き戸照明装置。
【請求項２】
前記電源部から前記電源供給機構に供給される電源が、８Ｖ以上１５Ｖ以下の直流電源であることを特徴とする請求項１に記載の引き戸照明装置。
【請求項３】
前記電源供給機構が、前記ガイド部に添設されていて前記電源部と配線接続された通電部材と、前記引き戸に配備されて前記ＬＥＤ素子と配線接続されるとともに前記通電部材に通電可能に摺接する接点金具と、から構成されていることを特徴とする請求項１または請求項２に記載の引き戸照明装置。
【請求項４】
前記引き戸の取手部に光拡散性樹脂材が配備され、前記光拡散性樹脂材に前記ＬＥＤ素子が添設され、前記ＬＥＤ素子から発せられた光が前記光拡散性樹脂材内で拡散して放射される構成にされていることを特徴とする請求項１から請求項３までのいずれか一項に記載の引き戸照明装置。
【考案の詳細な説明】
【技術分野】
【０００１】
本考案は、引き戸の取手部などを照明する引き戸照明装置に関するものである。
【背景技術】
【０００２】
従来、この種の照明装置としては、下記の特許文献１に記載されたものが知られている。かかる照明装置は、部屋の出入口を開閉する引き戸を案内する鴨居枠体に照明用窓が形成されているとともに、鴨居枠体内に照明灯が内装され、その照明用窓が透光板で閉止されることにより、室内、室外、取手部および施錠部を照らすようになっている。
【先行技術文献】
【特許文献】
【０００３】
【特許文献１】実開昭５６−１１７４１９号公報
【考案の概要】
【考案が解決しようとする課題】
【０００４】
ところで、上記文献開示の照明装置では、壁に配備された鴨居枠体の照明灯が、壁に備えつけの１００Ｖ家庭用交流電源を電源としているものと思われる。そして、病院や介護施設における引き戸の場合、夜中のトイレ行き時に引き戸の取手部の位置が判ればよいのであるが、交流１００Ｖ用の夜間照明灯であれば、取手部のみならず室内自体も明るくなって就寝の邪魔をしたり、感電による不快感を与えたりすることが考えられる。また、引き戸の開閉に連動させて点灯・消灯を自動的に切り替えるようにした場合には、交流１００Ｖ用の大掛かりで高価な構成のスイッチ手段が必要となる。
【０００５】
本考案は、上記した従来の問題点に鑑みてなされたものであって、簡素で安価な構成でありながら、取手部をしっかりと光らせることのできる引き戸照明装置の提供を目的とする。
【課題を解決するための手段】
【０００６】
上記目的を達成するために、本考案に係る引き戸照明装置は、部屋の出入口を開閉する引き戸と、出入口の縁部に引き戸移動方向に沿って配設されて引き戸を案内するガイド部と、部屋側に設けられた電源部と、引き戸の取手部を光らせるために引き戸に設けられたＬＥＤ素子と、電源部からＬＥＤ素子に電源を供給するための電源供給機構と、を備えて成ることを特徴とする構成にしてある。
【０００７】
また、前記構成において、電源部から電源供給機構に供給される電源を８Ｖ以上１５Ｖ以下の直流電源としたものである。
【０００８】
そして、前記した各構成において、電源供給機構が、ガイド部に添設されていて電源部と配線接続された通電部材と、引き戸に配備されてＬＥＤ素子と配線接続されるとともに通電部材に通電可能に摺接する接点金具と、から構成されているものである。
【０００９】
更に、前記した各構成において、引き戸の取手部に光拡散性樹脂材が配備され、光拡散性樹脂材にＬＥＤ素子が添設され、ＬＥＤ素子から発せられた光が光拡散性樹脂材内で拡散して放射される構成にされているものである。
【考案の効果】
【００１０】
本考案に係る引き戸照明装置によれば、引き戸と、ガイド部と、部屋側の電源部と、引き戸側のＬＥＤ素子と、ＬＥＤ素子への電源供給機構とを備えているので、ＬＥＤ素子は一般に２４Ｖ以下の直流電源で作動し得るから、利用者や施設管理者を感電などの危険や不快感にさらすことを防止できる。加えて、引き戸の開閉に連動させて点灯・消灯を自動的に切り替えるようにする場合でも、簡素で安価な構成のスイッチ手段で具現化できる。そして、ＬＥＤ素子は引き戸側でしかも取手部を光らせるために配備されているので、小型、軽量、安価なもので済み発光量も小さなものでよい。更に、夜間照明として病院や介護施設などに用いたときには、常夜点灯していても明るすぎず利用者の就寝に支障をきたさない。あるいは、利用者が夜中トイレ行きの際に暗闇の中でも引き戸の取手部の位置を正確に視認することができる。
【００１１】
また、電源部から電源供給機構に供給される電源が８Ｖ以上１５Ｖ以下の直流電源にされているものでは、利用者や施設管理者を感電などの危険から確実に守ることができ、小型、軽量で電力消費量も少なくすることができる。因みに、直流電源が８Ｖを下回ると、ＬＥＤ素子において電圧降下を引き起こしやすくなり発光が不安定になるので好ましくない。一方、直流電源が１５Ｖを超えると、端子や接点などに触れたときにビリビリ感を覚え始めるし、電力消費量も大きくなるので好ましくない。
【００１２】
そして、電源供給機構が、電源部と配線接続されたガイド部の通電部材と、通電部材に通電可能に摺接してＬＥＤ素子に給電する引き戸の接点金具と、から構成されているものでは、極めて簡素で安価な部材により故障しにくく保守も容易な電源供給機構を提供できる。
【００１３】
更に、取手部に配備された光拡散性樹脂材にＬＥＤ素子が添設されているものでは、ＬＥＤ素子から発せられた光が光拡散性樹脂材内で拡散したのちに放射されるから、取手部が小型であったりＬＥＤ素子の発光量が小さかったりしても、取手部全体に光が回って取手部全体から光を放射できる。従って、暗闇の中でも引き戸の取手部の位置をより正確に見つけることができる。あるいは、見えやすくなったぶん、小容量のＬＥＤ素子を用いることが可能となり、省エネルギー、省コスト化につなげることができる。
【図面の簡単な説明】
【００１４】
【図１】本考案の一実施形態に係る引き戸照明装置の正面構成図である。
【図２】前記引き戸照明装置の引き戸の背側の板材を外して見た背面図である。
【図３】前記引き戸照明装置の部分側断面図である。
【図４】前記引き戸照明装置に用いるＬＥＤモジュールを含む概略回路図である。
【図５】前記引き戸照明装置に用いるＬＥＤモジュールおよび光拡散性樹脂材を示す部分側断面図である。
【図６】前記引き戸照明装置の動作を示す状態説明図である。
【考案を実施するための形態】
【００１５】
以下、本考案の最良の実施形態を図面に基づいて説明する。尚、以下に述べる実施形態は本考案を具体化した一例に過ぎず、本考案の技術的範囲を限定するものでない。ここに、図１は本考案の一実施形態に係る引き戸照明装置の引き戸が開かれている状態を示す正面構成図、図２は前記引き戸照明装置の引き戸の背側の板材を外して見た背面図、図３は前記引き戸照明装置の部分側断面図である。
図１〜図３において、この実施形態に係る引き戸照明装置１は、部屋Ｒの出入口Ｆを開閉する引き戸２と、出入口Ｆの上縁に設けられた鴨居７に引き戸移動方向（矢印Ｋまたは矢印Ｓ方向：引き戸開閉方向）に沿って配設されて引き戸２を案内するガイド部３と、部屋Ｒの壁に設けられた電源部４と、引き戸２の取手部２３などを光らせるために引き戸２に設けられたＬＥＤモジュール５などと、電源部４からＬＥＤモジュール５などに電源を供給するための電源供給機構６と、を備えている。
【００１６】
この引き戸照明装置１が適用される部屋Ｒは例えば介護施設の一室である。壁Ｗには出入口Ｆが形成されており、出入口Ｆの上縁には出入口Ｆから迫り出した鴨居７が設けられている。この鴨居７の下面７Ａには、上向きに陥入した凹溝状のガイド部３が壁Ｗと平行方向に延びて形成されている。ガイド部３内の天面には、ガイド部３の延在方向に沿って２条平行の通電部材３６（＋），３６（−）が固設されている。出入口Ｆの下縁である口下縁１１の側方には、引き戸開閉方向に延びるレール溝９を有する敷居８が配設されている。口下縁１１および敷居８の各上面は、床面１０と同じ高さにされたバリアフリー構造になっている。前記のガイド部３内には引き戸２の戸上面２Ｔが移動自在に装入され、前記のレール溝９には引き戸２の戸下面２Ｂの車輪１５，１５が転動自在に載置されている。出入口Ｆの真横には、壁Ｗから陥入していて出入口Ｆ開放時の引き戸２を収容する収容凹部２６が設けられている。収容凹部２６と壁Ｗとの境目は段部２７となっている。
【００１７】
前記した引き戸２はいわゆるフラッシュ構造のパネル（特に図２参照）であって、左右の竪柱部５５，５５、上下の天桟部５８および底桟部５９、内部の横桟部６０，６１、ならびに内部の竪柱部５６，５７から構成された枠体と、この枠体全体の両面に貼り付けられたベニヤ板などの板体１９，１９と、から構成されている。この引き戸２において、天桟部５８の左右両側には接点金具３７，３８を支持するための支持用角材１７，１７が配備され、底桟部５９の左右両側には車輪ユニット１２，１２を支持するための支持用角材１６，１６が配備されている。各支持用角材１６には、上向きに陥入した収容隙間１８が形成され、その収容隙間１８に車輪ユニット１２の車輪１５が収容されるようになっている。車輪ユニット１２は、支持用角材１６の下面に固定される両側の固定基板１３，１３と、固定基板１３，１３間に架け渡された枢軸１４と、固定基板１３，１３間に配備されて枢軸１４に回動自在に軸支された車輪１５と、から構成されている。一方の板体１９の上下略中央部には矩形状の取手部２３を装着するための貫通孔２０が形成され、板体１９の上部には三日月状の天井部２４を装着するための貫通孔２１が形成され、板体１９の下部にはクマ形の足元部２５を装着するための貫通孔２２が形成されている。
【００１８】
前記の電源部４は、部屋Ｒ内に設置されたＡＤ変換器３０と、ＡＤ変換器３０の入力側に接続された交流電線３１と、交流電源（１００Ｖ）から変換後の直流電源（１０Ｖ：２０ｍＡ）を出力するための直流電線３２，３３と、直流電線３２，３３が接続された端子３４，３５と、から構成されている。
【００１９】
電源供給機構６は、ガイド部３内で引き戸移動方向に延びるように並べて敷設された１対の通電部材３６（＋），３６（−）と、引き戸２に配備されていて通電部材３６（＋），３６（−）に通電可能に摺接する接点金具３７，３８と、接点金具３７，３８とＬＥＤモジュール５，５Ａ，５Ｂとを並列接続する電線４７，４８と、から構成されている。前記の通電部材３６（＋），３６（−）は、電線３９，４０を介して電源部４の端子３４，３５と接続されている。また、通電部材３６（＋），３６（−）は例えば銅箔などで構成されており、一方の部材端部３６Ａが出入口Ｆの片端の上方位置に配置され、他方の部材端部３６Ｂが収容凹部２６の途中の上方位置に配置されている。
【００２０】
前記の接点金具３７，３８は半球状に形成されていて、その下面には円柱状の軸４１，４１が垂設されている。これらの軸４１，４１は、引き戸２の支持用角材１７の上面から形成された収容穴４４、および、収容穴４４の底面から支持用角材１７の下面に上下貫通して形成された軸孔４５に上下（矢印Ｇ方向）摺動自在に挿通されている。更に、収容穴４４内で接点金具３７，３８の下面と収容穴４４の底面の間には、バネ４６が配備されている。このバネ４６の存在により、接点金具３７，３８は常時上向きに弾性付勢されている。図３中の符号４２は軸４１の下部に取り付けられて軸４１の抜脱を防止する抜け止めピンである。
上記のように、電源部４から電源供給機構６に供給される電源は１５Ｖ以下の直流電源であるので、利用者が電線の露出部分や電極に触れたとしても、ビリビリとした不快な感電を受けることがない。高齢の被介護者でも安心して利用したり掃除したりできるし、明るくなりすぎることもない。
【００２１】
前記のＬＥＤモジュール５，５Ａ，５Ｂはいずれも、図４に示すように、電線４７，４８に対し並列に接続されて白色発光を行なう２つのＬＥＤ素子５０，５０と、ＬＥＤ素子５０，５０に対して直列に接続された例えば３００Ωの抵抗器４９と、これらを支持固定する基板５１と、から構成されている。
【００２２】
例えば足元部２５は、図５に示すように、樹脂内で光を散乱・反射させる性質を有する光拡散性樹脂材５２と、光拡散性樹脂材５２の背面や側面に積層して形成された白色塗膜や鏡面フィルムなどから成る光反射性膜５３と、から構成されている。前記の光拡散性樹脂材５２は、例えばアクリル系樹脂やポリカーボネート樹脂などの光透過性樹脂５２Ａと、この光透過性樹脂５２Ａ内に無数に分散された微細金属粉や微細ポリエチレン粉などから成る光散乱性粒子５４，５４，５４，・・・と、から構成されている。そして、この足元部２５は、例えばクマのキャラクター形状に形成されており、その側方にはＬＥＤモジュール５Ｂが添設されている。
尚、貫通孔２０に嵌着される取手部２３や、貫通孔２１に嵌着される天井部２４についても、前記した足元部２５と形状は異なるが構造はほぼ同じである。また、取手部２３の側方にはＬＥＤモジュール５が添設され、天井部２４の側方にはＬＥＤモジュール５Ａが添設されている。ＬＥＤモジュール５，５Ａは、前記したＬＥＤモジュール５Ｂと容量は異なるが構造はほぼ同じである。
【００２３】
上記のように構成された引き戸照明装置１の作用を次に説明する。この場合、図１のように出入口Ｆが開かれている状態から説明する。この引き戸照明装置１は消費電力が小さいので、ＡＤ変換器３０の電源が昼夜問わず入電にされている。このとき、電源供給機構６の接点金具３７は通電部材３６（＋）の途中部分に接しているが、接点金具３８は通電部材３６（−）の部材端部３６Ｂから外れている。これにより、電源部４のＡＤ変換器３０からの直流電源はＬＥＤモジュール５Ａ，５，５Ｂへ通電されていず、これらはいずれも発光していない。
そこで、図６のように引き戸２を閉止方向（矢印Ｓ方向）に移動させると、接点金具３７は通電部材３６（＋）に摺接したままで、接点金具３８が部材端部３６Ｂを超えて通電部材３６（−）に摺接する。これにより、ＡＤ変換器３０からの直流電源が電線４７，４８を流れてＬＥＤモジュール５Ａ，５，５Ｂへ通電される。これにより、ＬＥＤモジュール５Ａ，５，５Ｂが点灯して、天井部２４、取手部２３および足元部２５が発光Ｅ，Ｅ，Ｅを行なうのである。このとき、ＬＥＤモジュール５Ａ，５，５Ｂの各ＬＥＤ素子５０から発せられた光は、各光拡散性樹脂材５２内で樹脂材全体に拡散して放射される。
【００２４】
上記したように、この実施形態の引き戸照明装置１によれば、低電圧で作動するＬＥＤモジュール５Ａ，５，５Ｂを用いているので、利用者や施設管理者を感電などの危険や不快感にさらすことがない。加えて、引き戸２の開閉に連動させてＬＥＤモジュール５Ａ，５，５Ｂの点灯・消灯を自動的に切り替える電源供給機構６は、電源部４と配線接続された通電部材３６（＋），３６（−）と、通電部材に通電可能に摺接してＬＥＤモジュール５Ａ，５，５Ｂに給電する引き戸２の接点金具３７，３８とから構成されているので、極めて簡素で安価な部材により故障しにくく、保守も容易である。また、電源部４から電源供給機構６に供給される電源は１０Ｖの直流電源であるので、利用者や施設管理者を感電などの危険から確実に守ることができ、小型、軽量で電力消費量も小さくて済む。
【００２５】
そして、少なくとも取手部２３を照らすために用いられるＬＥＤモジュール５は、小型、軽量、安価なもので済み発光量も小さなものでよい。更に、介護施設の部屋Ｒの引き戸２にＬＥＤモジュール５が用いられる場合、常夜点灯していても明るすぎず利用者の就寝に支障をきたさない。反面、利用者が夜中トイレ行きの際には暗闇の中であっても引き戸２の取手部２３の位置を正確に視認できる。更に、ＬＥＤモジュール５Ａ，５，５Ｂより照らされる天井部２４、取手部２３、足元部２５は光拡散性樹脂材２５で構成されているので、ＬＥＤモジュール５Ａ，５，５Ｂから発せられた光は光拡散性樹脂材５２内で拡散するから、光拡散性樹脂材５２内全体に光が回って部材全体から光を放射することができる。従って、暗闇の中でも引き戸２の取手部２３などの位置を、より正確に見つけることができる。
【００２６】
尚、上記の実施形態では、敷居８のレール溝９上を車輪１５が転動して出入口Ｆを開閉する引き戸２に適用した引き戸照明装置１の例を示したが、本考案はそれに限定されるものでない。例えば、鴨居にレール部材が設けられ、そのレール部材に戸上部の車輪が架けられて転動する吊下げ式の引き戸に対しても、本考案の引き戸照明装置を適用可能であり、その効果も既述した実施形態のものと遜色ない。
【００２７】
これまで詳述した本考案は、上記の実施形態に限定されるものではない。すなわち、本考案の関連分野における通常の知識を有する者であれば想到し得る、各種変形、修正を含む、本考案の要旨を逸脱しない範囲の設計変更があっても、本考案に含まれることは言うまでもない。
【符号の説明】
【００２８】
１    引き戸照明装置
２    引き戸
３    ガイド部
４    電源部
５，５Ａ，５Ｂ  ＬＥＤモジュール
６    電源供給機構
７    鴨居
７Ａ  下面
８    敷居
９    レール溝
２０  貫通孔
２３  取手部
３０  ＡＤ変換器
３６  通電部材
３７  接点金具
３８  接点金具
４６  バネ
５２  光拡散性樹脂材
５２Ａ  光透過性樹脂
５４  光拡散性粒子
Ｅ    発光
Ｆ    出入口
Ｋ，Ｓ  矢印
Ｒ    部屋
Ｗ    壁
【図１】
0003223753.tif 000003
【図２】
0003223753.tif 000004
【図３】
0003223753.tif 000005
【図４】
0003223753.tif 000006
【図５】
0003223753.tif 000007
【図６】
0003223753.tif 000008
【手続補正書】
【提出日】令和1年9月6日(2019.9.6)
【手続補正１】
【補正対象書類名】実用新案登録請求の範囲
【補正対象項目名】請求項１
【補正方法】変更
【補正の内容】
【請求項１】
部屋の出入口を開閉する引き戸と、
前記出入口の縁部に引き戸移動方向に沿って配設されて前記引き戸を案内するガイド部と、
前記部屋の壁に設けられた電源部と、
前記引き戸の取手部を光らせるために前記引き戸に設けられたＬＥＤ素子と、
前記電源部から前記ＬＥＤ素子に電源を供給するための電源供給機構と、
を備えて成ることを特徴とする引き戸照明装置。
【手続補正２】
【補正対象書類名】明細書
【補正対象項目名】０００６
【補正方法】変更
【補正の内容】
【０００６】
上記目的を達成するために、本考案に係る引き戸照明装置は、部屋の出入口を開閉する引き戸と、出入口の縁部に引き戸移動方向に沿って配設されて引き戸を案内するガイド部と、部屋の壁に設けられた電源部と、引き戸の取手部を光らせるために引き戸に設けられたＬＥＤ素子と、電源部からＬＥＤ素子に電源を供給するための電源供給機構と、を備えて成ることを特徴とする構成にしてある。
【手続補正３】
【補正対象書類名】明細書
【補正対象項目名】００１０
【補正方法】変更
【補正の内容】
【００１０】
本考案に係る引き戸照明装置によれば、引き戸と、ガイド部と、部屋の壁の電源部と、引き戸側のＬＥＤ素子と、ＬＥＤ素子への電源供給機構とを備えているので、ＬＥＤ素子は一般に２４Ｖ以下の直流電源で作動し得るから、利用者や施設管理者を感電などの危険や不快感にさらすことを防止できる。加えて、引き戸の開閉に連動させて点灯・消灯を自動的に切り替えるようにする場合でも、簡素で安価な構成のスイッチ手段で具現化できる。そして、ＬＥＤ素子は引き戸側でしかも取手部を光らせるために配備されているので、小型、軽量、安価なもので済み発光量も小さなものでよい。更に、夜間照明として病院や介護施設などに用いたときには、常夜点灯していても明るすぎず利用者の就寝に支障をきたさない。あるいは、利用者が夜中トイレ行きの際に暗闇の中でも引き戸の取手部の位置を正確に視認することができる。